(57)【特許請求の範囲】
【請求項１】
縦型のごみ焼却炉の固形物燃焼部の上方の燃焼室内に二次空気を供給する二次燃焼空気供給装置であって、燃焼室に接続して設けた二次空気供給管にエジェクタを配設するとともに、排ガス吸引管を連結し、該エジェクタにより燃焼室から排ガスを吸引するとともに、二次空気と排ガスを混合して燃焼室内に噴射するようになっており、二次空気供給管と排ガス吸引管とは燃焼室の側壁に互いに接近して接続されていて、二次燃焼空気の吹込みによる燃焼室温度の部分的な低下を防止し、可燃ガスの完全燃焼とダイオキシンなどの有害物の熱による分解を完全にすることを特徴とする二次燃焼空気供給装置。
【請求項２】
上記排ガス吸引管と二次空気供給管との間にサイクロンを介在させ、該サイクロンにより排ガス中の煤塵を除去してから二次空気と混合するようにした請求項１記載の二次燃焼空気供給装置。
【発明の詳細な説明】
【０００１】
【発明の属する技術分野】
本発明は、二次燃焼空気供給装置に係るもので、特に、ごみ焼却炉やボイラ等の燃焼室内に二次空気を供給する二次燃焼空気供給装置に関するものである。
【０００２】
【従来の技術】
ごみ焼却炉では、供給されたごみを燃焼室の炉床で着火、燃焼して焼却する。ごみ焼却時に炉床から発生した一次燃焼ガスには、ＣＯなどの可燃ガスが含まれている。この可燃ガスは、燃焼室に供給された二次燃焼空気（以下「二次空気」という。）により完全燃焼される。このときの燃焼状態は、二次空気と可燃ガスの混合状態、温度などにより影響される。また、燃焼室から排出された排ガスは、廃熱ボイラで蒸気を発生させた後、除塵して放出している。
【０００３】
図４は従来のごみ焼却炉の断面図である。図４において、１はごみ焼却炉であり、１ａはその燃焼室である。２は熱交換器１０を通り、燃焼室１ａに接続した二次空気供給管である。４は排ガス排出管であり、６は排ガス排出管４に連結された廃熱ボイラである。４ａは廃熱ボイラ６と熱交換器１０とを連結した蒸気管である。７はごみ等の燃焼物である。なお、８は二次空気の流れを、９は一次燃焼ガスをそれぞれ示している。
【０００４】
このように、従来のごみ焼却炉１においては、ごみ焼却炉１から排出された排ガス９は、廃熱ボイラ６で蒸気を発生した後、放出される。二次空気は、熱交換器１０を経て、廃熱ボイラ６で発生した蒸気の一部または全部を利用して２００°Ｃ〜３００°Ｃに加熱され、二次空気供給管２から燃焼室１ａ内に吹き込まれる。
【０００５】
【発明が解決しようとする課題】
しかしながら、上記ごみ焼却炉においては、燃焼室内は９００°Ｃ〜１，０００°Ｃに保たれており、二次空気はボイラの蒸気により加熱されて燃焼室に吹き込まれるが、ボイラの蒸気では２００°Ｃ〜３００°Ｃ程度にしか加熱されず、完全燃焼させるため二次空気を大量に吹き込むと燃焼室の温度が部分的に低下してしまう。温度が低下すると可燃ガスは不完全燃焼となり、ダイオキシンなどの有害物の熱による分解が完全でなくなるなどの問題がある。
【０００６】
本発明は、上記のような問題点を解決するために創案されたもので、二次空気を排ガスによって加熱し、可燃ガスを完全燃焼させるとともに、燃焼室の温度を上げてダイオキシンなどの有害物の排出を防止するようにした二次燃焼空気供給装置を提供することを目的とするものである。
【０００７】
【課題を解決するための手段】
上記目的を達成するため、本発明によれば、ごみ焼却炉などの燃焼室内に二次空気を供給する二次燃焼空気供給装置であって、燃焼室に接続して設けた二次空気供給管にエジェクタを配設するとともに、排ガス吸引管を連結し、該エジェクタにより燃焼室から排ガスを吸引するとともに、二次空気と排ガスとを混合して燃焼室内に噴射するようにした二次燃焼空気供給装置が提供される。
【０００８】
本発明の実施形態によれば、上記排ガス吸引管と二次空気供給管との間にサイクロンを介在させ、該サイクロンにより排ガス中の煤塵を除去してから二次空気と混合するようにするのが好ましい。
【０００９】
次に本発明の作用を説明する。
ごみ焼却炉の燃焼室内の高温の排ガスを、エジェクタによって吸引して二次空気と混合させることにより、二次空気を加熱してエジェクタによって燃焼室に噴射させるので、二次空気の量を増しても燃焼室の温度が低下せず、燃焼室での二次燃焼をよくすることができる。また、燃焼室の温度が常に高温に保たれているので、ダイオキシンなどの有害物を熱により完全に分解することができ、ダイオキシンなどの排出を防止することができる。
【００１０】
【発明の実施の形態】
以下、本発明の好ましい実施形態について、図面に基づいて説明する。
図１は本発明の一実施形態を示すものであり、本発明による二次燃焼空気供給装置を付けたごみ焼却炉の断面図である。なお、図４で説明した部材と同じ部材については同じ符号を付しており、重複した説明を省略する。
【００１１】
図１において、１はごみ焼却炉であり、１ａはその燃焼室である。２は燃焼室１ａに接続して設けた二次空気供給管である。この二次空気供給管２は、エジェクタ３を配設するとともに、燃焼室１ａに接続した排ガス吸引管５を連結している。このエジェクタ３は、図３に示すように、ノズル３ａと、混合室３ｂと、ディフューザ３ｃなどから構成されている。そして、二次空気をノズル３ａから噴射して、混合室３ｂで燃焼室１ａから吸引した排ガス９ａと混合して混合ガス８ａとなり、燃焼室１ａ内に噴射する。なお、排ガス９ａはごみ燃焼炉１の頂部から、図示しない廃熱ボイラ、除塵器などを経て外部に排出される。
【００１２】
図２は本発明の他の実施形態を示すものである。図２において、１１は排ガス吸引管５と二次空気供給管２との間に設けたサイクロンで、排ガス中の煤塵を除去する。
【００１３】
次に本発明の実施形態の作用について説明する。
ごみ焼却炉１などの燃焼室１ａ内の高温の排ガス９ａを、エジェクタ３によって吸引し、二次空気と混合して混合ガス８ａとすることにより二次空気を加熱してエジェクタ３によって燃焼室１ａに噴射させるので、燃焼室１ａ内での一次燃焼ガス９中の可燃ガスと二次空気の混合がよくなり、かつ、燃焼室１ａ内の温度が低下しないので、燃焼がよくなり可燃ガスを完全燃焼することができる。また、燃焼室１ａの温度が常に高温に保たれているので、ダイオキシンなどの有害物を熱により完全に分解することができ、排出を防止することができる。
【００１４】
本発明は、上記実施の形態では、ごみ焼却炉の例について説明したが、ごみ焼却炉に限定されるものではなく、ボイラ等であってもよく、また、炉は縦型であっても横型であってもよいなど、本発明の要旨を逸脱しない範囲で種々変更し得ることは勿論である。
【００１５】
【発明の効果】
以上述べたように、本発明によれば、燃焼室から排出される排ガスをエジェクタによって吸引して二次空気と混合することにより、二次空気を加熱してエジェクタによって燃焼室に噴射させるので、燃焼室内での一次燃焼ガス中の可燃ガスとの混合がよくなり、かつ、燃焼室の温度低下がないので、可燃ガスを完全燃焼することができる。また、ダイオキシンなどの有害物の排出を防止することができるなどの優れた効果を奏する。
【図面の簡単な説明】
【図１】本発明による二次燃焼空気供給装置を付けたごみ焼却炉の断面図である。
【図２】本発明の他の実施形態の二次燃焼空気供給装置を付けたごみ焼却炉の断面図である。
【図３】本発明のエジェクタの断面図である。
【図４】従来のごみ焼却炉の断面図である。
【符号の説明】
１  ごみ焼却炉
１ａ  燃焼室
２  二次空気供給管
３  エジェクタ
４  排ガス排出管
５  排ガス吸引管
６  ボイラ
７  燃焼物
８  二次空気の流れ
８ａ  混合ガス
９  一次燃焼ガス
９ａ  排ガス
１０  熱交換器
１１  サイクロン
【図１】
0003849242.tif 000002
【図２】
0003849242.tif 000003
【図３】
0003849242.tif 000004
【図４】
0003849242.tif 000005